(57)【要約】【課題】省資源化に寄与し、ピッキング作業を容易に行える梱包箱を提供する。【解決手段】前後左右の面（２Ｆ、２Ｂ、３Ｌ、３Ｒ）によって側面が形成されているとともに、開閉可能な内フラップ（５Ｆ、５Ｂ）と外フラップ（４Ｌ、４Ｒ）とによって上下の面が形成され、左右いずれかの面の上下縁辺に接続された外フラップと、前後いずれかの面の上下いずれかの縁辺に接続された内フラップと、左右の各面を上下方向に横断しつつ外フラップを左右方向に横断する破断部１０によって分離される二つの個片の一方が外フラップを側面とし、前後一方の面を底部とし、破断部による破断面を開口部２１とした箱体２０であり、箱体の内フラップには、開口部から突出しつつ開口部の縁端にて屈曲された際に箱体の開口部を覆う外フラップ領域５１が形成されている梱包箱１ａとしている。【選択図】図５
2019112097.tif 000002
【特許請求の範囲】
【請求項１】
前後左右の面によって側面が形成されているとともに、開閉可能な内フラップと外フラップとによって上下の面が形成される方形の梱包箱であって
前記外フラップは、少なくとも左右いずれかの面の上下縁辺に接続され、
前記内フラップは、少なくとも前後いずれかの面の少なくとも上下いずれかの縁辺に接続され、
左右の各面を上下方向に横断しつつ前記外フラップを左右方向に横断する破断部を備え、当該破断部を境界にして二つの個片に分離可能に形成され、
二つに分離されたときの前記個片の少なくとも一方は、前記内フラップを備えるとともに、前記外フラップを側面とし、前後一方の面を底部とし、前記破断部による破断面を開口部とした箱体であり、
前記箱体の前記内フラップには、前記開口部から突出しつつ当該開口部の縁端にて屈曲された際に当該箱体の前記開口部を覆う外フラップ領域が形成されている、
ことを特徴とする梱包箱。
【請求項２】
請求項１に記載の梱包箱において、前記外フラップは左右対称に形成され、前記内フラップは上下対称に形成されていることを特徴とする梱包箱。
【請求項３】
請求項１または２に記載の梱包箱において、前記外フラップ領域には、前記開口部の縁端に沿って折り線が形成されていることを特徴とする梱包箱。
【請求項４】
請求項１〜３のいずれかに記載の前記梱包箱の起源となる台紙であって、
前記梱包箱における、前面、左面、後面、右面が所定の方向に直線的に配置され、
前記左面と前記右面には、前記梱包箱における上方向と下方向となる方向の少なくとも一方に、前記外フラップが接続され、
前記前面と前記左面には、前記梱包箱における上方向と下方向となる方向の少なくとも一方に前記内フラップが接続され、
前記左面、前記右面、および前記外フラップには、前記所定の方向に対して直交する方向に前記破断部が形成されている、
ことを特徴とする梱包箱用台紙。
【発明の詳細な説明】
【技術分野】
【０００１】
この発明は、梱包箱および梱包箱用台紙に関する。
【背景技術】
【０００２】
扁平な箱状やそれに類似した薄板状の製品は、高さ方向と幅方向の双方に対して奥行き方向が狭い。このような製品としては、例えば、シュリンクパックによって包装された電池パッケージがある。電池パッケージは、高さ方向に円筒軸を有する複数本の円筒型電池が幅方向に１列に並べられた状態で包装されている。また、電池パッケージなどの奥行き方向に扁平な製品を所定数ごとに梱包箱に収納する場合、その製品を奥行き方向に重ねた状態で収納することが多い。梱包箱は、例えば、以下の非特許文献１に記載されているような、Ａ式段ボール箱、所謂「ミカン箱タイプ」と呼ばれる方形の箱であることが多い。Ａ式段ボール箱では、収納される製品の高さ方向、幅方向、および奥行き方向の各サイズを、それぞれ深さ、幅、および長さとしている。
【０００３】
電池パッケージなどの薄板状の製品の製造現場では、製品の製造、組み立て、包装、さらには梱包までを一貫して行う場合がある。そして、梱包済みの製品は、工場など出荷元から出荷を待つ製品の倉庫など(以下、ターミナルとも言う）に集荷された後、所定の輸送経路を経て各販売店舗などの配送先に納品される。
【０００４】
ところで、各配送先に納品される製品の数は、梱包箱に含まれる全ての製品の数の倍数とは限らない。すなわち、製品が製造後の梱包箱に収納された状態のまま配送されるとは限らない。そこで、ターミナルにて、梱包箱に収納されている製品に対してピッキング作業を行った上で出荷する場合がある。ピッキング作業では、各配送先に対する納品指示書などに基づいて、梱包箱から所要の数の製品を残して取り出して一つの梱包箱の中の製品の数を調整したり、所要の数の製品を輸送用の他の箱に詰め替えたりする。なお、以下の特許文献１には、１枚から少なくとも２個の段ボール箱が得られる段ボールブランクについて記載されている。
【先行技術文献】
【特許文献】
【０００５】
【特許文献１】特開２００４−２６８９６５号公報
【非特許文献】
【０００６】
【非特許文献１】株式会社アースダンボール、”Ａ式段ボール箱”、[online]、[平成２９年１１月９日検索]、インターネット＜ＵＲＬ：https://www.bestcarton.jp/guide/hakokeishiki/a.html＞
【発明の概要】
【発明が解決しようとする課題】
【０００７】
電池パッケージなどの奥行き方向に扁平な薄板状の製品は、製造工程の最後で梱包される際、梱包箱の中に長さ方向に重ねられた状態で隙間なく収納される。したがって、製品を製造工程の最後で梱包された状態のまま輸送するのであれば、輸送中に梱包箱の中で製品同士がぶつかって破損する可能性が少ない。しかし、上述したように、製造工程の最後で梱包箱に収納された製品は、工場出荷から納品までの輸送経路の途上でピッキング作業が施されることが多い。
【０００８】
しかし、ピッキングによって一つの梱包箱中の製品の数を減らすと、梱包箱の中に大きな隙間が生じることから、梱包箱内の隙間に緩衝材を収納し、製品同士が輸送中にぶつからないようにする必要がある。そのため、緩衝材に係る費用や緩衝材を収納するためのコストがかかる。
【０００９】
また、配送用の別の箱に詰め替える場合には、収納する製品の数に応じてサイズが異なる種々の配送用の箱を用意する必要があり、その配送用の箱にコストがかかる。さらに、梱包箱は、製造工程の最後で開口が封止されるため、製品を詰め替えるために開梱すると再利用することができない。そのため、梱包箱の費用が無駄になる。省資源化を促進するという社会的な要求にも反する。
【００１０】
なお、上記特許文献１に記載の発明では、一つの段ボールブランクを分割することで、複数の段ボール箱を組み立てることができるようになっている。しかし、製品の製造工程の最後で、所定の製品パックを所定のサイズの梱包箱に所定の数だけ収納する場合では、特許文献１に記載の段ボールブランクを用いて梱包箱を組み立てることの利点がほとんどない。また、ピッキング作業に際して製品パックを詰め替える場合であっても、段ボールブランクを分割するとともに、その分割後の段ボールブランクから輸送用の箱を組み立てる作業が必要となり、これらの作業に余分なコストがかかることになる。梱包箱も無駄になる。
【００１１】
そこで本発明は、省資源化に寄与し、ピッキング作業を容易に行える梱包箱とその梱包箱の起源となる梱包箱用台紙とを提供することを目的としている。
【課題を解決するための手段】
【００１２】
上記目的を達成するための本発明の一態様は、前後左右の面によって側面が形成されているとともに、開閉可能な内フラップと外フラップとによって上下の面が形成される方形の梱包箱であって
前記外フラップは、少なくとも左右いずれかの面の上下縁辺に接続され、
前記内フラップは、少なくとも前後いずれかの面の少なくとも上下いずれかの縁辺に接続され、
左右の各面を上下方向に横断しつつ前記外フラップを左右方向に横断する破断部を備え、当該破断部を境界にして二つの個片に分離可能に形成され、
二つに分離されたときの前記個片の少なくとも一方は、前記内フラップを備えるとともに、前記外フラップを側面とし、前後一方の面を底部とし、前記破断部による破断面を開口部とした箱体であり、
前記箱体の前記内フラップには、前記開口部から突出しつつ当該開口部の縁端にて屈曲された際に当該箱体の前記開口部を覆う外フラップ領域が形成されている、
ことを特徴とする梱包箱としている。
【００１３】
前記外フラップが左右対称に形成され、前記内フラップが上下対称に形成されている梱包箱とすることもできる。前記外フラップ領域に、前記開口部の縁端に沿って折り線が形成されている梱包箱としてもよい。
【００１４】
本発明のその他の態様は、上記いずれかに記載の梱包箱の起源となる台紙であって、
前記梱包箱における、前面、左面、後面、右面が所定の方向に直線的に配置され、
前記左面と前記右面には、前記梱包箱における上方向と下方向となる方向の少なくとも一方に、前記外フラップが接続され、
前記前面と前記左面には、前記梱包箱における上方向と下方向となる方向の少なくとも一方に前記内フラップが接続され、
前記左面、前記右面、および前記外フラップには、前記所定の方向に対して直交する方向に前記破断部が形成されている、
ことを特徴とする梱包箱用台紙としている。
【発明の効果】
【００１５】
本発明によれば、省資源化に寄与し、ピッキング作業を容易に行える梱包箱と梱包箱用台紙が提供される。なお、その他の効果については以下の記載で明らかにする。
【図面の簡単な説明】
【００１６】
【図１】本発明の実施例に係る梱包箱に収納される電池パッケージを示す図である。
【図２】上記梱包箱を示す図である。
【図３】上記梱包箱の起源となる台紙を示す図である。
【図４】上記梱包箱における上記電池パッケージの収納状態を示す図である。
【図５】二つに分割された状態の前記梱包箱と、梱包箱を分割することで形成される輸送箱とを示す図である。
【図６】上記輸送箱の利用方法の一例を示す図である。
【図７】本発明のその他の実施例に係る梱包箱を示す図である。
【図８】上記輸送箱のその他の例を示す図である。
【図９】本発明のその他の実施例に係る梱包箱を示す図である。
【発明を実施するための形態】
【００１７】
本発明の実施例について、以下に添付図面を参照しつつ説明する。なお以下の説明に用いた図面において、同一または類似の部分に同一の符号を付して重複する説明を省略することがある。ある図面において符号を付した部分について、不要であれば他の図面ではその部分に符号を付さない場合もある。
【００１８】
＝＝＝実施例＝＝＝
本発明の実施例に係る梱包箱として、電池パッケージを収納するための梱包箱を挙げる。図１は、本発明の実施例に係る梱包箱に収納される電池パッケージ１００を示す図である。電池パッケージ１００は、８本の単四形乾電池１０１が、互いの円筒軸１０２が平行となるように１列に並んだ状態でシュリンクパック１０３によって包装されてなる。そして、電池パッケージ１００は、奥行き方向に厚さｔを有し、その奥行き方向に扁平で、所定の高さｈと幅ｗを有する形状を有している。
【００１９】
図２は、本発明の実施例に係る梱包箱１ａを示す図である。図２（Ａ）は、梱包状態にある梱包箱１ａを示しており、図２（Ｂ）は開梱状態にある梱包箱１ａを示している。なお、以下では、便宜的に、梱包箱１ａの幅方向を左右方向、長さ方向を前後方向、深さ方向を上下方向とする。そして、図２（Ａ）を右上前方から見たときの斜視図として、左右、前後、上下の各方向を規定することとする。また、梱包箱１ａの構造や各部位のサイズの大小関係についての説明を容易にするために、梱包箱１ａを構成する段ボールの厚さについては無視することとする。
【００２０】
図２（Ａ）に示したように、梱包状態にある梱包箱１ａの外観形状は、Ａ式段ボール箱と同様の方形の箱であり、幅Ｗ、長さＬ、深さＤのサイズを有する。前面２Ｆ、右面３Ｒ、後面２Ｂ、および左面３Ｌが互いに接続されて側面が形成され、上下の開口が図示されていない内フラップと外フラップ（４Ｌ、４Ｒ）とによって覆われている。
【００２１】
図２（Ｂ）に示したように、梱包箱１ａは、左右の各面（３Ｌ、３Ｒ）の上縁辺と下縁辺に外フラップ（４Ｌ、４Ｒ）が接続され、前後の各面（２Ｆ、２Ｂ）の上縁辺と下縁辺に内フラップ（５Ｆ、５Ｂ）が接続されている。外フラップ（４Ｌ、４Ｒ）の幅Ｗ１は、梱包箱の左右幅Ｗの１／２であり、内フラップ（５Ｆ、５Ｂ）を梱包箱１ａの内方に曲げた上で外フラップ（４Ｌ、４Ｒ）を内方に折り曲げると、左右の外フラップ同士（４Ｌ−４Ｒ）が突き合わされる。
【００２２】
内フラップ（５Ｆ、５Ｂ）は、一般的なＡ式段ボール箱のものとは異なり、前面２Ｆに接続されている内フラップ５Ｆの長さＬ１と後面２Ｂに接続されている内フラップ５Ｂの長さＬ２が異なっている。図２（Ｂ）に示した例では、後方の内フラップ５Ｂの前後長Ｌ２は、前方の内フラップ５Ｆの前後長Ｌ１よりも長い。より具体的には、後面２Ｂの上縁辺と下縁辺に接続されている内フラップ５Ｂの前後長Ｌ２は、Ｌ２＝（Ｌ＋Ｄ）／２となっている。なお、実施例に係る梱包箱１ａでは、Ｌ１＋Ｌ２≦Ｌとなっている。
【００２３】
そして、実施例に係る梱包箱１ａには、左右の各面（３Ｌ、３Ｒ）を上下方向に横断しつつ、左右それぞれの外フラップ（４Ｌ、４Ｒ）を幅方向に横断する破断部１０が設けられている。破断部１０は、人の手で破断することが可能なミシン目やジッパーからなり、梱包箱１ａは、この破断部１０に沿って破断されると、前方側と後方側の二つの個片に分離される。本実施例では、破断部１０はミシン目で形成されている。
【００２４】
図３は、実施例に係る梱包箱１ａの段ボールブランク（以下、台紙２０１とも言う）を示している。図３は、梱包箱１ａの側面を形成する前面２Ｆ、左面３Ｌ、後面２Ｂ、右面３Ｒのいずれかを水平面に載置した状態で当該梱包箱１ａを展開したときの図を示している。すなわち、図３では梱包箱１ａの内面側が示されている。そして、谷折り線が一点鎖線によって示されている。図３に示したように、梱包箱１ａは、台紙２０１の状態では、前面２Ｆ、左面３Ｌ、後面２Ｂ、右面３Ｒが直線的に配置されている。また、この直線的に配置された各面（２Ｆ、３Ｌ、２Ｂ、３Ｒ）には、梱包箱１ａにおける上方向と下方向となる側に、内フラップ（５Ｆ、５Ｂ）と外フラップ（４Ｌ、４Ｒ）が接続されている。なお、梱包箱１ａにおける右面３Ｒの前縁辺３Ｆには、のりしろ６が形成され、台紙２０１から梱包箱１ａを組み立てる際には、のりしろ６の外面側が前面２Ｆの右縁辺２Ｒ側の内面に接着される。破断部１０は、左面３Ｌと右面３Ｒのそれぞれと、これらの面（３Ｌ、３Ｒ）に接続されている外フラップ（４Ｌ、４Ｒ）を長さ方向に２等分するように形成されている。そして、実施例に係る梱包箱１ａは、破断部１０で破断されて二つの個片に分離されると、その個片の一方が、ピッキング作業に際して詰め替え用の箱（以下、輸送箱とも言う）として再利用できるようになっている。図３では、台紙２０１において輸送箱になる領域が点線の枠２０２で示されている。なお、実施例に係る梱包箱１ａは、台紙２０１の状態において、梱包箱１ａの側面を形成する前面２Ｆ、左面３Ｌ、後面２Ｂ、および右面３Ｒを直線状に配置すると、台紙２０１は、この側面を形成する各面の配置方向に対して線対称となる。そのため、原紙から台紙２０１を裁断する工程が容易となる。また、梱包箱１ａの組み立てに際して上下関係を考慮しなくてもよく、梱包箱１ａを容易に組み立てることができる。
【００２５】
図４は、梱包箱１ａ内の電池パッケージ１００の収納状態を示している。図４に示した梱包箱１ａは、図１に示した８本一組の電池パッケージ１００を１０組収納することができる。各電池パッケージ１００における８本の乾電池１０１は、円筒軸１０２が上下方向に向いた状態で、左右方向に１列に並ぶように梱包箱１ａに収納されている。そして、１０個の電池パッケージ１００が前後方向に重ねられた状態で収納されている。梱包箱１ａの幅方向の内寸（≒Ｗ）、および深さ方向の内寸（≒Ｄ）は、一つの電池パッケージ１００の幅ｗ、および高さｈとほぼ等しく、梱包箱１ａの長さ方向の内寸（≒Ｌ）は、電池パッケージ１００の奥行き方向の厚さｔの１０倍とほぼ等しい（Ｌ≒１０×ｔ）。それによって、梱包箱１ａ内では、１０個の電池パッケージ１００が隙間なく収納されている。そして、梱包箱１ａの破断部１０は、左右の各面（３Ｌ、３Ｒ）を前後に２等分する位置に形成されており、梱包箱１ａが破断部１０で破断されて二つの個片に分離されると、一方の個片が、最大で５個の電池パッケージ１００を収納できる輸送箱になる。
【００２６】
図５に、２個の個片に分離された状態の梱包箱１ａを示した。図５（Ａ）は、破断部１０によって二つの個片（２０Ｆ、２０Ｂ）に分離された状態の梱包箱１ａを示しており、図５（Ｂ）は輸送箱２０を示している。図５（Ａ）に示したように、実施例に係る梱包箱１ａは、破断部１０によって前後方向に二つの個片（２０Ｆ、２０Ｂ）に分離される。そして、後方の個片２０Ｂが輸送箱２０として再利用される。輸送箱２０は、図５（Ｂ）に示したように、後面２Ｂを底面とし、前後に二等分された左面３Ｌ、右面３Ｒ、および外フラップ（４Ｌ、４Ｒ）を側面とし、破断部１０による破断面を開口部２１としている。また、内フラップ５Ｂが開口部２１から突出している。この開口部２１から突出する内フラップ５Ｂの領域(以下、外フラップ領域５１とも言う)は、輸送箱２０の開口部２１の縁端部分で折り曲げられると、開口部２１を覆うように形成されている。すなわち、上下の内フラップ５Ｂのそれぞれにおける外フラップ領域５１の長さＬ４は、梱包箱１ａの深さＤの１／２となるように設定されている。
【００２７】
図６に輸送箱２０の利用手順の一例を示した。まず、図６（Ａ）に示したように、梱包箱１ａに収納されていた１０個の電池パッケージ１００から所用の数の電池パッケージ１００を輸送箱２０に移し替える。輸送箱２０では、梱包箱１ａにおける前後方向が深さ方向となり、この深さ方向の内寸は、ほぼ、５個分の電池パッケージ１００を前後方向に重ねたときのサイズとなる（Ｌ／２≒５×ｔ）。なお、輸送箱２０に４個以下の電池パッケージ１００を収納する場合には、必要に応じて、緩衝材で輸送箱における深さ方向の隙間を埋めればよい。
【００２８】
内フラップ５Ｂには、一点鎖線で示したように、外フラップ領域５１を破断部１０に沿って輸送箱２０の内方に向けて屈曲させるための谷折り線２３が形成されている。そして、所用の数の電池パッケージ１００を輸送箱２０に収納したならば、図６（Ｂ）に示したように、外フラップ領域５１を谷折り線２３を基部として開口部２１の内方に向けて折り曲げる。上述したように、梱包箱１ａにおいて、輸送箱２０側となる後方の内フラップ５Ｂの前後長Ｌ２は、Ｌ２＝（Ｌ＋Ｄ）/２であり、梱包箱１ａの前後長Ｌの１／２の長さに梱包箱１ａの深さＤの１／２の長さを加えた長さである。そのため、上下の内フラップ５Ｂを折り線２３で折り曲げると、双方の内フラップ５Ｂの先端同士が突き合わされる。それによって開口部２１が外フラップ領域５１によって覆われる。電池パッケージ１００を輸送箱２０に入れて出荷する際には、外フラップ領域５１が開かないように粘着テープなどを用いて輸送箱２０を封止すればよい。なお、６個以上の電池パッケージ１００を出荷する場合は、梱包箱１ａを破断させずに、所用の数の電池パッケージ１００を抜き取り、梱包箱１ａ中の前後方向の隙間を緩衝材などで埋めた上で、梱包箱１ａをそのまま配送用の箱として利用すればよい。
【００２９】
このように実施例に係る梱包箱１ａでは、電池パッケージ１００などの奥行き方向に扁平な製品を所定の数だけ隙間なく収納することができるとともに、ピッキング作業に際しては、その一部を所用の数の製品の詰め替え先の輸送箱として再利用することができる。すなわち、梱包箱１ａに収納されている製品をピッキング作業を行った上で出荷する際、詰め替え先の箱を別途用意する必要がない。梱包箱１ａの一部を再利用するので廃棄物を減量させることができる。また、輸送箱２０に収納される製品の数が、輸送箱２０に収納可能な数に満たなくても、輸送箱２０内での製品は、幅方向と高さ方向にずれにくく、輸送箱２０の深さ分だけの最小限の緩衝材を詰めるだけで輸送箱２０内の隙間が埋まり、輸送中に製品同士がぶつかることを防止できる。そのため、実施例に係る梱包箱１ａは、省資源化と製品の低価格化とに寄与しつつ、安全に製品を輸送することができる。
【００３０】
＝＝＝その他の実施例＝＝＝
当然のことながら、実施例に係る梱包箱１ａに収納される製品は、電池パッケージ１００に限らない。梱包箱１ａの前後方向に対応する奥行き方向に扁平で、製品の幅と高さが梱包箱の幅と深さと同程度の製品であればよい。そして、所定の数の製品を前後方向に重ねたときの前後方向の長さが梱包箱１ａの前後方向の内寸とほぼ同程度であればよい。もちろん、奥行き方向に扁平な製品でなくても、一つの梱包箱１ａから切り離されてなる輸送箱２０にその製品を収納することは可能である。例えば、柔軟で壊れにくい製品であれば、製品同士が輸送中にぶつかっても破損する可能性が低い。したがって、製品の性状によっては、製品の幅と高さが、梱包箱１ａの幅と深さと同等でなくてもよい。なお、奥行き方向に扁平で、幅と高さが梱包箱１ａの幅と深さと同程度の製品では、上述したように、輸送箱２０に詰め替えた際にその輸送箱２０内に隙間が生じても必要最小限の緩衝材でその隙間を埋めることができ、壊れやすい製品であっても安全に輸送できるという利点がある。
【００３１】
破断部１０は、梱包箱１ａを前後に２等分に分割する位置に形成されていなくてもよい。すなわち、輸送箱２０に収納できる製品の数を適宜に設定することができる。いずれにしても、輸送箱２０の開口部２１の上下方向のサイズに応じ、輸送箱２０側の内フラップ５Ｂおよび外フラップ領域５１の長さ（Ｌ２、Ｌ４）を設定すればよい。
【００３２】
外フラップ（４Ｌ、４Ｒ）は、左右対称に形成されていなくてもよい。すなわち、左右一方の面（３Ｌまたは３Ｒ）の上縁辺にのみ外フラップ（４Ｌまたは４Ｒ）が接続されていてもよい。例えば、図７に示した梱包箱１ｂでは、右面３Ｒの上縁辺にのみ外フラップ４Ｒが接続されている。なお、図７に示した例では、外フラップ４Ｒの左右幅Ｗ１が梱包箱１ｂの幅Ｗよりも大きく、外フラップ４Ｒの先端側が差し込み４１になっている。内フラップ（５Ｆ、５Ｂ）を前後に設けず、外フラップ領域５１を有するものを前後一方にのみ設けることもできる。
【００３３】
外フラップ領域５１を有する内フラップ（５Ｆ、５Ｂ）は、上下対称に形成されていなくてもよい。例えば、図８に示した輸送箱１２０のように、上下の内フラップ（１２１ａ、１２１ｂ）のうち、一方の内フラップ１２１ａにのみ外フラップ領域５１が形成されていてもよい。いずれにしても、輸送箱（２０、１２０）側に形成されている内フラップ（５Ｂ、１２１ａ）に輸送箱（２０、１２０）の開口部２１を覆う外フラップ領域５１が形成されていればよい。
【００３４】
図９に示した梱包箱１ｃのように、前後それぞれの面（２Ｆ、２Ｂ）に接続されている内フラップ（５Ｆ、５Ｂ）の双方に外フラップ領域５１を設けてもよい。すなわち、前後それぞれの面（２Ｆ、２Ｂ）に接続されている内フラップ（５Ｆ，５Ｂ）の長さ（Ｌ５、Ｌ６）を左右の面（３Ｌ、３Ｒ）の前後長Ｌの１／２よりも長くして、前後の内フラップ（５Ｆ、５Ｂ）を互いに重なり合うオーバーフラップとしてもよい。そして、前後それぞれの面（２Ｆ、２Ｂ）に接続されている内フラップ（５Ｆ、５Ｂ）の前後長（Ｌ５、Ｌ６）を同じ長さとしつつ、その長さ（Ｌ５、Ｌ６）をＬ５＝Ｌ６＝（Ｌ＋Ｄ）／２とすれば、一つの梱包箱１ｃから同じサイズの二つの輸送箱２０を得ることができる。また、破断部１０の前後の位置を適宜に設定するとともに、破断部１０の位置に応じて前後の内フラップ（５Ｆ、５Ｂ）の前後長（Ｌ５、Ｌ６）を変えれば、異なるサイズの二つの輸送箱２０を得ることもできる。  
【符号の説明】
【００３５】
１ａ，１ｂ，１ｃ  梱包箱、２Ｂ  後面、２Ｆ  前面、３Ｌ  左面、３Ｒ  右面、
４Ｌ，４Ｒ  外フラップ、５Ｆ，５Ｂ，１２１ａ，１２１ｂ  内フラップ、
１０  破断部、２０，１２０  輸送箱、１００  電池パッケージ、１０１  乾電池、
２０１  台紙
【図１】
2019112097.tif 000003
【図２】
2019112097.tif 000004
【図３】
2019112097.tif 000005
【図４】
2019112097.tif 000006
【図５】
2019112097.tif 000007
【図６】
2019112097.tif 000008
【図７】
2019112097.tif 000009
【図８】
2019112097.tif 000010
【図９】
2019112097.tif 000011